(57)【要約】【課題】複数の電極を用いてバーコードを表示する場合に、電極に接続された配線を形成しやすくする。【解決手段】白色のバーと黒色のバーとが交互に並んで表示されることによって識別情報が表現され、バーの幅が識別情報によらずに固定な固定領域と、バーの幅が識別情報に応じて可変となる可変領域とを有するバーコードを表示するバーコード表示媒体において、バーの並び方向に並んで配置され、バーを表示するための複数の帯状電極１２〜１４を有し、複数の帯状電極１２〜１４のうち、固定領域における白色のバーを表示するための複数の帯状電極１２が１つの配線１５ｂに接続されている。【選択図】図２
2011014068.tif 000002
【特許請求の範囲】
【請求項１】
第１の色を具備する第１のバーと第２の色を具備する第２のバーとが交互に並んで表示されることによって識別情報が表現され、前記第１及び第２のバーの幅が前記識別情報によらずに固定な固定領域と、前記第１及び第２のバーの幅が前記識別情報に応じて可変となる可変領域とを有するバーコードを表示するバーコード表示媒体であって、
前記第１及び第２のバーの並び方向に並んで配置された複数の帯状電極と、
前記複数の帯状電極に電位を印加するための配線と、
前記複数の帯状電極に対向して配置され、前記複数の帯状電極に印加された電位に応じて前記第１の色または前記第２の色を表示する情報表示手段とを有し、
前記複数の帯状電極のうち、前記固定領域における前記第１のバーを表示するための複数の帯状電極が１つの配線に接続されているバーコード表示媒体。
【請求項２】
請求項１に記載のバーコード表示媒体において、
前記複数の帯状電極は、ベース基板の一方の面に形成され、
前記固定領域における前記第２のバーを表示するための帯状電極は、前記ベース基板の一方の面に形成された第１の配線と、前記ベース基板の他方の面に形成され、前記ベース基板に形成された導通ホールを介して前記第１の配線に接続された第２の配線とによって互いに接続されているバーコード表示媒体。
【請求項３】
請求項１に記載のバーコード表示媒体において、
前記情報表示手段の前記複数の帯状電極とは反対側に配置され、前記固定領域における前記第２のバーの表示領域が前記第２の色に着色されている透明基材を有するバーコード表示媒体。
【発明の詳細な説明】
【技術分野】
【０００１】
本発明は、バーコードを表示するバーコード表示媒体に関し、特に、固定領域と可変領域とからなるバーコードを表示する際の固定領域の表示技術に関する。
【背景技術】
【０００２】
従来より、物品を管理するためにバーコードが利用されている。このバーコードは、白色領域にて識別情報を複数本からなる黒色線の幅及び間隔で表したものであり、バーコードリーダで読み取ることにより識別情報を認識することができる。このようなバーコードは、物品に直接印刷されたり、ラベルに印刷されて物品に貼付されたりして利用されている。そのため、一度印刷されたバーコードを変更することができず、バーコードを変更する場合は、物品にバーコードを印刷しなおしたり、変更したバーコードが印刷されたラベルを貼りなおしたりしなければならない。
【０００３】
そこで、対向する電極間に液晶や表示媒体を配置し、その電極に印加する電位を用いて液晶や表示媒体の状態を変化させて情報を表示する情報表示パネルを用いてバーコード表示を行う技術が考えられている（例えば、特許文献１，２参照。）。
【先行技術文献】
【特許文献】
【０００４】
【特許文献１】特開昭６４−４１９８０号公報
【特許文献２】特開２００６−２３４９１１号公報
【発明の概要】
【発明が解決しようとする課題】
【０００５】
上述したような情報表示パネルを用いてバーコードを表示するものにおいては、バーコードを表示するために、バーコードの最小幅に対応する幅を有する電極を複数並べて配置し、この複数の電極に選択的に電位を印加することになるため、これら複数の電極にはそれぞれ電位を印加するための配線が接続されている必要がある。ところが、バーコードの最小幅は極めて狭いものであり、さらには、バーコードの種類によっては、そのバーの数が極めて多く、これら複数の電極のそれぞれに接続された配線を配置することが困難となってしまうという問題点がある。特に、配線の形成には、一般的にエッチングや導電性インキを用いたスクリーン印刷が利用されるが、スクリーン印刷においては、インキが厚く盛られてしまうため、細かい配線を形成することが困難である。
【０００６】
ここで、上述したようなバーコードにおいては、その種類によって一義に決められた固定領域と、物品を識別するための可変領域とから構成されている。そこで、固定領域の表示を工夫することによって上述したような問題点を解決することを検討する。
【０００７】
本発明は、上述したような従来の技術が有する問題点に鑑みてなされたものであって、複数の電極を用いてバーコードを表示する場合に、電極に接続された配線を形成しやすくすることができるバーコード表示媒体を提供することを目的とする。
【課題を解決するための手段】
【０００８】
上記目的を達成するために本発明は、
第１の色を具備する第１のバーと第２の色を具備する第２のバーとが交互に並んで表示されることによって識別情報が表現され、前記第１及び第２のバーの幅が前記識別情報によらずに固定な固定領域と、前記第１及び第２のバーの幅が前記識別情報に応じて可変となる可変領域とを有するバーコードを表示するバーコード表示媒体であって、
前記第１及び第２のバーの並び方向に並んで配置された複数の帯状電極と、
前記複数の帯状電極に電位を印加するための配線と、
前記複数の帯状電極に対向して配置され、前記複数の帯状電極に印加された電位に応じて前記第１の色または前記第２の色を表示する情報表示手段とを有し、
前記複数の帯状電極のうち、前記固定領域における前記第１のバーを表示するための複数の帯状電極が１つの配線に接続されている。
【０００９】
上記のように構成された本発明においては、第１の色を具備する第１のバーと第２の色を具備する第２のバーとが交互に並んで表示されることによって識別情報が表現され、第１及び第２のバーの幅が識別情報によらずに固定な固定領域と、第１及び第２のバーの幅が識別情報に応じて可変となる可変領域とを有するバーコードを表示する場合、第１及び第２のバーの並び方向に並んで配置された複数の帯状電極に配線を介して印加された電位に応じて、情報表示手段において第１の色または第２の色が表示されることにより、バーコードの表示がなされるが、複数の帯状電極のうち、固定領域における第１のバーを表示するための複数の帯状電極が１つの配線に接続されているので、複数の帯状電極のうち、固定領域における第１のバーを表示するための複数の帯状電極においては、接続される配線が共有化され、それにより、帯状電極に接続された配線の数が減少し、帯状電極に接続された配線が形成しやすくなる。
【００１０】
また、複数の帯状電極がベース基板の一方の面に形成され、固定領域における第２のバーを表示するための帯状電極が、ベース基板の一方の面に形成された第１の配線と、ベース基板の他方の面に形成され、ベース基板に形成された導通ホールを介して第１の配線に接続された第２の配線とによって互いに接続されている場合は、固定領域が可変領域に挟まれている場合であっても、可変領域の配線に影響を与えることなく、固定領域における第２のバーを表示するための複数の帯状電極を互いに接続された状態で１つの配線に接続することができる。
【００１１】
また、情報表示手段の複数の帯状電極とは反対側に配置され、固定領域における第２のバーの表示領域が第２の色に着色されている透明基材を有する構成とすれば、固定領域において第２のバーを表示するための帯状電極及び配線が不要となり、帯状電極に接続された配線の数がさらに減少し、帯状電極に接続された配線が形成しやすくなる。
【発明の効果】
【００１２】
以上説明したように本発明においては、第１の色を具備する第１のバーと第２の色を具備する第２のバーとが交互に並んで表示されることによって識別情報が表現され、第１及び第２のバーの幅が識別情報によらずに固定な固定領域と、第１及び第２のバーの幅が識別情報に応じて可変となる可変領域とを有するバーコードを表示するバーコード表示媒体において、第１及び第２のバーの並び方向に並んで配置された複数の帯状電極と、複数の帯状電極に電位を印加するための配線と、複数の帯状電極に対向して配置され、複数の帯状電極に印加された電位に応じて第１の色または第２の色を表示する表示手段とを有し、複数の帯状電極のうち、固定領域における第１のバーを表示するための複数の帯状電極が１つの配線に接続されている構成としたため、複数の帯状電極のうち、固定領域における第１のバーを表示するための複数の帯状電極においては、接続される配線が共有化され、それにより、帯状電極に接続された配線の数が減少し、帯状電極に接続された配線を形成しやすくすることができる。
【００１３】
また、複数の帯状電極がベース基板の一方の面に形成され、固定領域における第２のバーを表示するための帯状電極が、ベース基板の一方の面に形成された第１の配線と、ベース基板の他方の面に形成され、ベース基板に形成された導通ホールを介して第１の配線に接続された第２の配線とによって互いに接続された構成としたものにおいては、固定領域が可変領域に挟まれている場合であっても、可変領域の配線に影響を与えることなく、固定領域における第２のバーを表示するための帯状電極を互いに接続された状態で１つの配線に接続することができる。
【００１４】
また、情報表示手段の複数の帯状電極とは反対側に配置され、固定領域における第２のバーの表示領域が第２の色に着色されている透明基材を有する構成としたものにおいては、固定領域において第２のバーを表示するための帯状電極及び配線が不要となり、帯状電極に接続された配線の数がさらに減少し、帯状電極に接続された配線が形成しやすくすることができる。
【図面の簡単な説明】
【００１５】
【図１】本発明のバーコード表示媒体によって表示されるバーコードの一例を示す図である。
【図２】本発明のバーコード表示媒体の第１の実施の形態に用いられる配線電極基板の構成を示す図であり、（ａ）は表面から見た図、（ｂ）は（ａ）に示したＡ−Ａ’断面図である。
【図３】図２に示した配線電極基板を用いたバーコード表示媒体の構成を示す図であり、（ａ）は表面から見た図、（ｂ）は（ａ）に示したＡ−Ａ’断面図、（ｃ）は（ｂ）に示したＡ部拡大図である。
【図４】図３に示したバーコード表示媒体によって図１に示したバーコードを表示する際の動作を説明するための図である。
【図５】本発明のバーコード表示媒体の第２の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図である。
【図６】本発明のバーコード表示媒体の第３の実施の形態に用いられる配線電極基板の構成を示す図であり、（ａ）は表面から見た図、（ｂ）は（ａ）に示したＡ−Ａ’断面図である。
【図７】図６に示した配線電極基板を用いたバーコード表示媒体の構成を示す図であり、（ａ）は表面から見た図、（ｂ）は（ａ）に示したＡ−Ａ’断面図である。
【発明を実施するための形態】
【００１６】
以下に、本発明の実施の形態について図面を参照して説明する。
【００１７】
まず、本発明のバーコード表示媒体によって表示されるバーコードについて説明する。
【００１８】
図１は、本発明のバーコード表示媒体によって表示されるバーコードの一例を示す図であり、ＣＯＤＥ１２８と呼ばれるものを示す。
【００１９】
本例におけるバーコードは図１に示すように、第１の色となる白色を具備する第１のバー４と、第２の色となる黒色を具備する第２のバー５とが交互に並んで表示され、バー４，５の幅によって識別情報が表現されたものである。このようなバーコード１は、ライトマージン、レフトマージン、スタートコード及びストップコードを付与する必要があり、それらは、バーコード１の両側においてバー４，５の幅によってそれぞれ表現されている。また、識別情報を２ビットずつ表現していくために、その表現された領域がバー４，５によって区切られている。このようなスタートコードやストップコードを示す情報と、識別情報を表現した領域を区切るための情報は、表現する識別情報とは無関係に一義的となる情報であるため、それらの情報が表現された領域は、バー４，５の幅が識別情報によらずに固定となっている。すなわち、図１に示したバーコード１においては、表現する識別情報によらずにバー４，５の幅が固定な固定領域２と、バー４，５の幅が識別情報に応じて可変となる可変領域３とから構成されている。なお、可変領域３には、チェックデジットを表現する領域も含まれている。
【００２０】
（第１の実施の形態）
図２は、本発明のバーコード表示媒体の第１の実施の形態に用いられる配線電極基板の構成を示す図であり、（ａ）は表面から見た図、（ｂ）は（ａ）に示したＡ−Ａ’断面図である。なお、図２に示す配線電極基板１０は、図１に示したバーコード１を表示するためのバーコード表示媒体に用いられるものである。
【００２１】
本形態における配線電極基板は図２に示すように、ベース基板１１の一方の面に、複数の帯状電極１２〜１４が微小間隔で並んで形成されているとともに、帯状電極１２に接続された配線１５ａ，１５ｂと、帯状電極１３に接続された配線１６ａ〜１６ｃと、帯状電極１４に接続された配線１８とが形成されている。また、配線１５ｂ，１６ａ〜１６ｃ，１８のそれぞれは、これら帯状電極１２〜１４に外部から電位を印加するための接続端子１７に接続されている。なお、帯状電極１４、配線１８及び接続端子１７については、その一部のみしか符号を付していないが、可変領域３に配置された帯状電極の全てが帯状電極１４であり、その帯状電極１４のそれぞれに配線１８が接続され、さらに、配線１８を介して接続端子１７が接続されている。
【００２２】
帯状電極１２は、固定領域２において白色を表示するためのものであり、また、帯状電極１３は、固定領域２において黒色を表示するためのものである。そのため、帯状電極１２，１３のそれぞれの幅は、図１に示したバーコード１の固定領域２におけるバー４，５の幅と略同一のものとなっている。また、帯状電極１４は、可変領域３において表現する識別情報に応じて白色または黒色を選択的に表示するためのものである。そのため、その幅は、図１に示したバーコード１の可変領域３にて表示されるバー４，５の最小幅となっている。すなわち、これら帯状電極１２〜１４は、図１に示したバー４，５の並び方向に並んで配置されている。
【００２３】
また、固定領域２に配置された複数の帯状電極１２は、配線１５ａによって互いに接続された状態で１つの配線１５ｂに接続されている。これにより、固定領域２に配置された複数の帯状電極１２には、１つの接続端子１７を介して電位を印加することにより同一の電位が印加されることになる。
【００２４】
また、固定領域２に配置された複数の帯状電極１３は、バーコード１の両側に配置されたものにおいては、配線１６ａ，１６ｂを介してそれぞれ互いに接続された状態で接続端子１７に接続され、可変領域３に挟まれた領域においては、配線１６ｃを介して接続端子１７に個別に接続されている。
【００２５】
図３は、図２に示した配線電極基板１０を用いたバーコード表示媒体の構成を示す図であり、（ａ）は表面から見た図、（ｂ）は（ａ）に示したＡ−Ａ’断面図、（ｃ）は（ｂ）に示したＡ部拡大図である。
【００２６】
本形態におけるバーコード表示媒体は図３に示すように、図２に示した配線電極基板１０の帯状電極１２〜１４が形成された面に、情報表示手段である情報表示層２０と、透明基材である透明導電膜基板３０とが積層されて構成されている。透明導電膜基板３０は、ガラス等からなる透明基板３１の一方の面に透明電極（例えば、ＩＴＯ）３２が形成されて構成されており、また、情報表示層２０は、隔壁２１とシール層２４とで囲まれた領域に、帯電性粒子２３が分散した隔壁内液体２２が収容されて構成されている。そして、これら配線電極基板１０、情報表示層２０及び透明導電膜基板３０は、透明電極３２と帯状電極１２〜１４とが、隔壁２１とシール層２４とで囲まれた領域に収容された隔壁内液体２２を介して対向するように積層されている。なお、隔壁２１は、底部と、情報表示層２０の外周部となる側部と、側部で囲まれた領域を複数の領域に区画するための壁部とからなり、底部とは反対側の面が開口した形状となっている。そして、底部側が配線電極基板１０に対向するように積層されており、開口した側にシール層２４が積層されている。
【００２７】
また、透明導電膜基板３０は、帯状電極１２〜１４に対向しない領域に、例えば黒色等のマスク印刷３３が施されており、それにより、配線電極基板１０に形成された配線１５ａ，１５ｂ，１６ａ〜１６ｃ，１８が透明導電膜基板３０を介して視認されないようになっている。
【００２８】
以下に、上記のように構成されたバーコード表示媒体によるバーコード表示について説明する。
【００２９】
図４は、図３に示したバーコード表示媒体によって図１に示したバーコードを表示する際の動作を説明するための図である。
【００３０】
図３に示したバーコード表示媒体によって図１に示したバーコードを表示する場合、例えば、透明電極３２をＧＮＤ電位とし、また、ベース基板１１に形成された帯状電極１２〜１４のうち、固定領域２にて白色のバー４を表示するための帯状電極１２と、可変領域３にて表現したい識別情報に応じて白色のバー４を表示するための帯状電極１４をマイナス電位とするとともに、固定領域２にて黒色のバー５を表示するための帯状電極１３と、可変領域３にて表現したい識別情報に応じて黒色のバー５を表示するための帯状電極１４をプラス電位とする。これは、配線１５ｂ，１６ａ〜１６ｃ，１８を介してこれら帯状電極１２〜１４に接続された接続端子１７にプラス電位あるいはマイナス電位が選択的に印加されることにより行われる。この際、配線電極基板１０には、バーコード１の固定領域２において白色を表示するための複数の帯状電極１２が形成されているが、複数の帯状電極１２は、上述したように配線１５ａによって互いに接続された状態で１つの配線１５ｂに接続されているため、複数の帯状電極１２が接続される配線が共有化され、それにより、帯状電極１２〜１４に接続された配線の数が減少し、帯状電極１２〜１４に接続された配線を形成しやすくすることができる。これにより、固定領域２に配置された複数の帯状電極１２には、１つの接続端子１７を介して電位を印加することにより同一の電位が印加されることになる。なお、配線の形成には、一般的にエッチングや導電性インキを用いたスクリーン印刷が利用されるが、スクリーン印刷においては、インキが厚く盛られてしまうため、細かい配線を形成することが困難である。そのため、スクリーン印刷によって配線を形成する場合、上述したように、帯状電極１２〜１４に接続された配線の数が減少することにより、配線を形成しやすくすることの効果が得られやすくなる。
【００３１】
このように、透明電極３２がＧＮＤ電位とされ、帯状電極１２〜１４がプラス電位あるいはマイナス電位とされると、隔壁２１で囲まれた領域に収容された隔壁内液体２２が誘電性物質からなり、帯電性粒子２３がマイナス電位に帯電しているものであることから、図４（ａ）に示すように、帯電性粒子２３が隔壁内液体２２内をクーロン力で移動し、マイナス電位とされた帯状電極１２，１４が形成された領域においては帯電性粒子２３が透明電極３２側に引き寄せられていき、また、プラス電位とされた帯状電極１３，１４が形成された領域においては帯電性粒子２３が帯状電極１３，１４側に引き寄せられていく。
【００３２】
そして、隔壁内液体２２が染料または顔料で着色されており、帯電性粒子２３が高屈折率の光散乱成分を含むため、帯状電極１３，１４側に帯電性粒子２３が引き寄せられた領域が着色された状態となり、また、透明電極３２側に帯電性粒子２３が引き寄せられた領域が白色となる。
【００３３】
すると、固定領域２においては、帯状電極１２，１３の幅が、図１に示したバーコード１のバー４，５の幅と同一のものとなっているため、上述したように帯状電極１２が配置された領域が白色となり、また、帯状電極１３が配置された領域が着色された状態となることにより、透明導電膜基板３０を配線電極基板１０とは反対側から見た場合、図４（ｂ）に示すように、図１に示したバーコード１の固定領域２が表現され、固定領域２においてスタートコード及びストップコード、並びに、識別情報の区切りが認識されることになる。
【００３４】
また、可変領域３においては、帯状電極１４の幅が、図１に示したバーコード１の可変領域３にて表示されるバー４，５の最小幅となっているため、可変領域３にて黒色で表示されるバー５の幅が帯状電極１４の幅と同一である場合は、１つの帯状電極１４がプラス電位とされるとともにその帯状電極１４に隣接する帯状電極１４がマイナス電位とされ、また、可変領域３にて黒色で表示されるバー５の幅が帯状電極１４の幅の２倍である場合は、隣接する２つの帯状電極１４がプラス電位とされるとともにその２つの帯状電極１４の両側に隣接する帯状電極１４がマイナス電位とされ、また、可変領域３にて黒色で表示されるバー５の幅が帯状電極１４の幅の３倍である場合は、隣接する３つの帯状電極１４がプラス電位とされるとともにその３つの帯状電極１４の両側に隣接する帯状電極１４がマイナス電位とされるというように、可変領域３にて黒色で表示されるバー５の幅に応じて帯状電極１４がプラス電位あるいはマイナス電位とされる。同様に、可変領域３にて白色で表示されるバー４の幅が帯状電極１４の幅と同一である場合は、１つの帯状電極１４がマイナス電位とされるとともにその帯状電極１４に隣接する帯状電極１４がプラス電位とされ、また、可変領域３にて白色で表示されるバー４の幅が帯状電極１４の幅の２倍である場合は、隣接する２つの帯状電極１４がマイナス電位とされるとともにその２つの帯状電極１４の両側に隣接する帯状電極１４がプラス電位とされ、また、可変領域３にて白色で表示されるバー４の幅が帯状電極１４の幅の３倍である場合は、隣接する３つの帯状電極１４がマイナス電位とされるとともにその３つの帯状電極１４の両側に隣接する帯状電極１４がプラス電位とされるというように、可変領域３にて白色で表示されるバー４の幅に応じて帯状電極１４がプラス電位あるいはマイナス電位とされる。これにより、透明導電膜基板３０を配線電極基板１０とは反対側から見た場合、図４（ｂ）に示すように、図１に示したバーコード１の可変領域３が表現され、可変領域３において識別情報が認識されることになる。なおこの際、可変領域３におけるバー４，５の幅に応じて同一の電位とされる複数の帯状電極１４は、微小間隔で並んで配置されているので、隣接する複数の帯状電極１４を同一の電位とした場合、微小間隔は認識されず、隣接する２つの帯状電極１４が同一電位とされた場合は、帯状電極１４の２倍の太さのバー４，５が認識され、隣接する３つの帯状電極１４が同一電位とされた場合は、帯状電極１４の３倍の太さのバー４，５が認識されることになる。
【００３５】
なお、本形態においては、固定領域２における帯状電極１３のうち、バーコード１の両側となる帯状電極１３、すなわち、スタートコード及びストップコードを表現するための帯状電極１３が、配線１６ａ，１６ｂによって互いに接続された状態で接続端子１７に接続されており、可変領域３にて識別情報を表現した領域を区切るための帯状電極１３が配線１６ｃを介して接続端子１７に個別に接続されているが、スタートコード及びストップコードを表現するための帯状電極１３においても、接続端子１７に個別に接続することも考えられる。
【００３６】
（第２の実施の形態）
図５は、本発明のバーコード表示媒体の第２の実施の形態に用いられる配線電極基板の構成を示す図であり、（ａ）は表面から見た図、（ｂ）は（ａ）に示したＡ−Ａ’断面図、（ｃ）は（ａ）に示したＢ−Ｂ’断面図である。なお、図５に示す配線電極基板１１０においても、図１に示したバーコード１を表示するためのバーコード表示媒体に用いられるものである。
【００３７】
本形態における配線電極基板は図５に示すように、第１の実施の形態にて示したものに対して、固定領域２にて黒色のバー５を表示するための全ての帯状電極１３が互いに接続されている点のみが異なるものである。
【００３８】
図１に示したバーコード１においては、固定領域２の一部が可変領域３に挟まれた状態となっている。そのため、このようなバーコード１を表示するためには、固定領域２において白色を表示するための帯状電極１２を第１の実施の形態にて示したように配線１５ａによって互いに接続した状態で１つの配線１５ｂに接続することができるものの、固定領域２において黒色を表示するための帯状電極１３においては、その間に可変領域３が配置されていることにより１つの配線に接続することができない。
【００３９】
本形態におけるベース基板１１には、導通ホールとなるスルーホール１９が形成されている。このスルーホール１９は、ベース基材１１の表面にて帯状電極１３のうち可変領域３に挟まれていない領域に配置された帯状電極１３どうしをそれぞれ接続する第１の配線１６ａ，１６ｂ上と、可変領域３に挟まれた領域に配置された帯状電極１４から延びた第１の配線１６ｃ上とに４つ形成され、ベース基材１１の裏面に形成された第２の配線１６ｄにてこれら４つのスルーホール１９が互いに接続されている。
【００４０】
これにより、固定領域２にて黒色を表示するための帯状電極１３が、ベース基材１１の表面に形成された配線１６ａ〜１６ｃと、ベース基材１１の裏面に形成され、スルーホール１９を介して配線１６ａ〜１６ｃに接続された配線１６ｄとによって互いに接続され、図１に示したように固定領域２の一部が可変領域３に挟まれた状態となっているバーコード１においても、固定領域２において白色を表示するための帯状電極１２を配線１５ａによって互いに接続した状態で１つの配線１５ｂに接続しながらも、固定領域２において黒色を表示するための帯状電極１３においても１つの配線に接続することができる。それにより、黒色を表示するための帯状電極１３が可変領域３に挟まれた場合であっても、帯状電極１２〜１４に接続された配線の数が減少し、帯状電極１２〜１４に接続された配線を形成しやすくすることができる。
【００４１】
上記のように構成された配線電極基板１１０は、第１の実施の形態に示したものと同様に、情報表示層２０及び透明導電膜基板３０が積層され、帯状電極１２〜１４がプラス電位またはマイナス電位とされることにより、図１に示したバーコード１を表示することになる。
【００４２】
（第３の実施の形態）
図６は、本発明のバーコード表示媒体の第３の実施の形態に用いられる配線電極基板の構成を示す図であり、（ａ）は表面から見た図、（ｂ）は（ａ）に示したＡ−Ａ’断面図である。なお、図６に示す配線電極基板２１０においても、図１に示したバーコード１を表示するためのバーコード表示媒体に用いられるものである。
【００４３】
本形態における配線電極基板は図６に示すように、第１の実施の形態にて示したものに対して、固定領域２にて黒色のバー５を表示するための帯状電極１３が配置されていない点のみが異なるものである。すなわち、本形態における配線電極基板２１０は、図１に示したバーコード１の固定領域２にて黒色のバー５に対応する帯状電極１３が配置されていない。
【００４４】
図７は、図６に示した配線電極基板２１０を用いたバーコード表示媒体の構成を示す図であり、（ａ）は表面から見た図、（ｂ）は（ａ）に示したＡ−Ａ’断面図である。
【００４５】
本形態におけるバーコード表示媒体は図７に示すように、図６に示した配線電極基板２１０上に、第１の実施の形態に示したものと同様に、情報表示層２０及び透明導電膜基板３０が積層されているが、透明導電膜基板３０においては、第１の実施の形態にて帯状電極１３が配置されていた領域に対向する領域、すなわち、図６に示した配線電極基板２１０において帯状電極１３が配置されなくなった領域に対向する領域に、図１に示したバー５による黒色のマスク印刷３４が施されている。これにより、本形態におけるバーコード表示媒体は、図１に示したバーコード１の固定領域２におけるバー５の表示領域が、バー５の色の着色されていることになる。
【００４６】
上記のように構成されたバーコード表示媒体においては、帯状電極１２がマイナス電位とされるとともに、帯状電極１４が、表現したい識別情報に応じてプラス電位あるいはマイナス電位とされる。すると、第１の実施の形態にて示したものと同様に、情報表示層２０の透明導電膜基板３０側から見える色が制御され、帯状電極１２に対向する領域は白色のバー４に見えるようになり、帯状電極１４に対向する領域は、識別情報に応じたバー４，５の配置に見えるようになる。そして、固定領域２のバー５の表示領域においては、帯状電極が配置されていないことにより、情報表示層２０の透明導電膜基板３０側から見える色はベース基板１１の色のまま変化しないものの、透明導電膜基板３０のマスク印刷３４による黒色が見え、それにより、図１に示したバーコード１が認識されることになる。
【００４７】
このように本形態においては、図１に示したバーコード１の固定領域２にて黒色のバー５に対応する帯状電極１３が配置されておらず、その代わりに、バー５による黒色のマスク印刷３４が施されているので、固定領域２においてバー５を表示するための帯状電極及び配線が不要となり、帯状電極に接続された配線の数がさらに減少し、帯状電極に接続された配線が形成しやすくすることができる。
【００４８】
なお、上述した３つの実施の形態におけるバー４，５の色は、互いに反転したものであってもよく、さらには、上述した白色及び黒色に限らず、バーコードリーダにて読み取り可能な２色であればよい。ただし、バーコードリーダによるバーコード１の読み取りは、光の反射等の関係で白色の読み取りに非常に正確さを要するので、上述した３つの実施の形態に示したもののように、固定領域２における白色を、印刷ではなく可変領域３と同一の表示手段である情報表示層２０を用いた表示とすることにより、バーコード１を構成するバー４，５のうち白色となるバーの色が固定領域２と可変領域３とで統一され、それにより、バーコード１によって表現される情報を正確に認識することができるようになる。
【００４９】
また、本発明のバーコード表示媒体にて表示されるバーコードは、図１に示したようなＣＯＤＥ１２８に限らず、ＪＡＮ、ＩＴＦ、ＣＯＤＥ３９、ＮＷ−７等、固定領域と可変領域とを有するものであれば適用することができる。
【００５０】
また、本発明のバーコード表示媒体は、上述したように、隔壁内液体２２に分散した帯電性粒子２３が、表裏に生じた電位差によって移動して表示が切り替わる垂直型電気泳動方式のものに限らず、表裏の配置された電極間における相転移による２つの異なる分子配向を利用して表示を行うコレステリック液晶方式や、有機染料を電気的に可逆的に酸化／還元状態にすることにより発色させるエレクトロクロミック方式や、電子粉粒体を用いたものや、ＥＬ（Electro Luminescence）等、電圧印加によって表示が切り替わるものであれば適用することができる。
【符号の説明】
【００５１】
１    バーコード
２    固定領域
３    可変領域
４，５    バー
１０，１１０，２１０    配線電極基板
１１    ベース基板
１２〜１４    帯状電極
１５ａ，１５ｂ，１６ａ〜１６ｃ，１６ｃ，１８    配線
１７    接続端子
１９    スルーホール
２０    情報表示層
２１    隔壁
２２    隔壁内液体
２３    帯電性粒子
２４    シール層
３０    透明導電膜基板
３１    透明基板
３２    透明電極
３３，３４    マスク印刷
【図１】
2011014068.tif 000003
【図２】
2011014068.tif 000004
【図３】
2011014068.tif 000005
【図４】
2011014068.tif 000006
【図５】
2011014068.tif 000007
【図６】
2011014068.tif 000008
【図７】
2011014068.tif 000009